(57)【要約】耳に負担をかけることなく装着することができる衛生マスクを提供することを目的とする。【解決手段】  少なくとも装着者の鼻頭から顎先までを覆う柔軟性素材からなるマスク本体部１と、マスク本体部１の右縁部及び左縁部を連結するマスク装着部５とを備え、マスク装着部５は、マスク本体部１の左右の側縁部にそれぞれ固定される一対の支持部２と、装着者の両耳の下方を通って頚部後方を回り込むリア装着部３とを有する。右支持部２０Ｒは、マスク本体部１の上下方向の位置が異なる２つの右固定位置２３Ｒ，２４Ｒと、装着者の右耳よりも前方においてリア装着部３が連結される１つの右連結位置２５Ｒとをそれぞれ結ぶ一対の右支持部材２６，２７で構成される。また、左支持部２０Ｌは、マスク本体部１の上下方向の位置が異なる２つの左固定位置２３Ｌ，２４Ｌと、装着者の左耳よりも前方においてリア装着部３が連結される１つの左連結位置２５Ｌとをそれぞれ結ぶ一対の左支持部材２６，２７で構成される。
2016047579.tif 000002
【特許請求の範囲】
【請求項１】
少なくとも装着者の鼻頭から顎先までを覆う柔軟性素材からなるマスク本体部と、
上記マスク本体部の右縁部及び左縁部を連結するマスク装着部とを備え、
上記マスク装着部は、上記マスク本体部の右縁部に固定される右支持部と、上記マスク本体部の左縁部に固定される左支持部と、上記装着者の両耳の下方を通って頚部後方を回り込むリア装着部とを有し、
上記右支持部は、上記マスク本体部の右縁部であって上下方向の位置が異なる２つの右固定位置と、上記装着者の右耳よりも前方において上記リア装着部が連結される１つの右連結位置とをそれぞれ結ぶ一対の右支持部材で構成され、
上記左支持部は、上記マスク本体部の左縁部であって上下方向の位置が異なる２つの左固定位置と、上記装着者の左耳よりも前方において上記リア装着部が連結される１つの左連結位置とをそれぞれ結ぶ一対の左支持部材で構成されることを特徴とする衛生マスク。
【請求項２】
上記マスク装着部は、上記右支持部又は上記左支持部の長さを調整するための調整部を有することを特徴とする請求項１に記載の衛生マスク。
【請求項３】
上記リア装着部は、着脱自在の着脱部を有することを特徴とする請求項１又は２に記載の衛生マスク。
【請求項４】
上記右支持部及び上記左支持部は、柔軟性及び伸縮性を有する素材からなることを特徴とする請求項１〜３のいずれかに記載の衛生マスク。
【請求項５】
上記右支持部は、両端が２つの上記右固定位置にそれぞれ固定された右支持紐からなり、
上記左支持部は、両端が２つの上記左固定位置にそれぞれ固定された左支持紐からなり、
上記リア装着部は、両端が上記右支持紐及び上記左支持紐に連結されることを特徴とする請求項１〜４のいずれかに記載の衛生マスク。
【請求項６】
上記右連結位置は、上記右支持紐上を移動可能であり、
上記左連結位置は、上記左支持紐上を移動可能であることを特徴とする請求項５に記載の衛生マスク。
【請求項７】
両端が２つの上記右固定位置にそれぞれ固定された右装着紐の２点を上記右連結位置において結束する右結束部と、
両端が２つの上記左固定位置にそれぞれ固定された左装着紐の２点を上記左連結位置において結束する左結束部とを備え、
上記右装着紐の上記右結束部よりも前方部分が、上記右支持部となり、
上記左装着紐の上記左結束部よりも前方部分が、上記左支持部となることを特徴とする請求項１又は２に記載の衛生マスク。
【請求項８】
上記右連結位置及び上記左連結位置に一対の支持穴が設けられた装着補助具を備え、
両端が２つの上記右固定位置にそれぞれ固定された右装着紐が上記支持穴の一方に往復して挿通され、
両端が２つの上記左固定位置にそれぞれ固定された左装着紐が上記支持穴の他方に往復して挿通され、
上記右装着紐の上記支持穴よりも前方部分が、上記右支持部となり、
上記左装着紐の上記支持穴よりも前方部分が、上記左支持部となることを特徴とする請求項１又は２に記載の衛生マスク。
【発明の詳細な説明】
【技術分野】
【０００１】
本発明は、衛生マスクの改良に関する。
【背景技術】
【０００２】
一般的な衛生マスクには、マスク本体部の側縁部に一対の耳掛け紐が設けられている。図１６は、最も一般的な衛生マスク２００の装着時の様子を示した図である。衛生マスク２００は、口及び鼻孔を覆うマスク本体部１の左右縁部に一対の耳掛け紐４０が設けられ、これらの耳掛け紐４０を装着者の耳に掛けることによって装着される。このような衛生マスク２００を長時間装着すれば、装着者の耳に痛みが生じ易いという問題があった。また、マスク本体部１と装着者の顔との間の隙間をなくそうとすれば、耳掛け紐４０を短くし、後方へ引っ張る力を大きくする必要があるが、耳の痛みがより大きくなり易いという問題があった。【０００３】
そこで、耳掛け紐４０を耳に掛けずに装着する衛生マスクの装着方法が提案されている（例えば、特許文献１）。図１７は、特許文献１に記載された衛生マスク２０１の装着方法を示した図である。特許文献１に記載された装着方法は、図１６の耳掛け紐４０を耳の下方に配置し、左右の耳掛け紐４０を頚部後方に配置する補助具４１で互いに連結するという方法である。この装着方法は、耳掛け紐４０を耳に掛けない方法であるため、耳に痛みが生じるのを防止することができる。しかしながら、耳掛け紐４０を耳の下方に配置したことにより、マスク本体部１に対して後方下向きの力が加えられることになる。このため、装着者の顔に対し、マスク本体部１を良好にフィットさせることができず、隙間が生じ易く、また、マスク本体部１が脱落しやすいという問題があった。【０００４】
また、幅広のベルトを頭部に取り付けることにより、マスク本体部１を良好にフィットさせるマスクが知られている（例えば、特許文献２）。しかしながら、一般的な衛生マスクは使い捨てであるため、柔軟性及び伸縮性を有する紐部材、例えばゴム紐が用いられており、コストを考慮すれば、このような簡易的な紐に代えて、幅広のベルトを採用することができないという問題があった。
【先行技術文献】
【特許文献】
【０００５】
【特許文献１】特開２０１３−２５２３３９号公報の図４，図５
【特許文献２】特許５３６３４８３号公報の図５，図９
【発明の概要】
【発明が解決しようとする課題】
【０００６】
本発明は、上記の事情に鑑みてなされたものであり、耳に負担をかけることなく装着することができる衛生マスクを提供することを目的とする。特に、耳の痛みを生じさせることなく、装着者の顔に良好にフィットさせることができる衛生マスクを提供することを目的とする。また、このような衛生マスクを安価に提供することを目的とする。
【課題を解決するための手段】
【０００７】
第１の本発明による衛生マスクは、少なくとも装着者の鼻頭から顎先までを覆う柔軟性素材からなるマスク本体部と、上記マスク本体部の右縁部及び左縁部を連結するマスク装着部とを備え、上記マスク装着部は、上記マスク本体部の右縁部に固定される右支持部と、上記マスク本体部の左縁部に固定される左支持部と、上記装着者の両耳の下方を通って頚部後方を回り込むリア装着部とを有し、上記右支持部は、上記マスク本体部の右縁部であって上下方向の位置が異なる２つの右固定位置と、上記装着者の右耳よりも前方において上記リア装着部が連結される１つの右連結位置とをそれぞれ結ぶ一対の右支持部材で構成され、上記左支持部は、上記マスク本体部の左縁部であって上下方向の位置が異なる２つの左固定位置と、上記装着者の左耳よりも前方において上記リア装着部が連結される１つの左連結位置とをそれぞれ結ぶ一対の左支持部材で構成される。【０００８】
マスク装着部は、マスク本体部の右縁部に固定される右支持部と、マスク本体部の左縁部に固定される左支持部と、装着者の両耳の下方を通って頚部後方を回り込むリア装着部とを有する。このような構成を採用することにより、装着者の耳に負担を掛けることなく、衛生マスクを装着することができる。【０００９】
右支持部は、マスク本体部の右縁部であって上下方向の位置が異なる２つの右固定位置と、リア装着部が連結される１つの右連結位置とをそれぞれ結ぶ一対の右支持部材で構成される。同様にして、左支持部は、マスク本体部の左縁部であって上下方向の位置が異なる２つの左固定位置と、リア装着部が連結される１つの左連結位置とをそれぞれ結ぶ一対の左支持部材で構成される。このような構成を採用することにより、マスク本体部の上部に作用する後方下向きの力と、マスク本体部の下部に作用する後方上向きの力のなす角度を大きくすることができる。従って、マスク本体部を装着者の顔に良好にフィットさせることができる。【００１０】
第２の本発明による衛生マスクは、上記構成に加えて、上記マスク装着部が、上記右支持部又は上記左支持部の長さを調整するための調整部を有する。【００１１】
このような構成を採用することにより、装着者の身体的特徴、特に顎の大きさや形状に応じて、右支持部又は左支持部の長さを調整し、マスク本体部を装着者の顔に良好にフィットさせることができる。また、右支持部又は左支持部の長さを調整することにより、右連結位置又は左連結位置を調整することができる。このため、マスク本体部の上部及び下部に作用する力のなす角度を調整し、マスク本体部を装着者の顔に良好にフィットさせることができる。【００１２】
第３の本発明による衛生マスクは、上記構成に加えて、上記リア装着部が、着脱自在の着脱部を有するように構成される。このような構成を採用することにより、衛生マスクを容易に着脱することができる。また、マスク本体部と顔との間に隙間が生じ難いように衛生マスクを正しく装着することが容易になる。【００１３】
第４の本発明による衛生マスクは、上記構成に加えて、上記右支持部及び上記左支持部が、柔軟性および伸縮性を有する紐状部材である。このような構成を採用することにより、衛生マスクを安価に提供することができる。【００１４】
第５の本発明による衛生マスクは、上記構成に加えて、上記右支持部は、両端が２つの上記右固定位置にそれぞれ固定された右支持紐からなり、上記左支持部は、両端が２つの上記左固定位置にそれぞれ固定された左支持紐からなり、上記リア装着部は、両端が上記右支持紐及び上記左支持紐に連結される。【００１５】
第６の本発明による衛生マスクは、上記構成に加えて、上記右連結位置が、上記右支持紐上を移動可能であり、上記左連結位置が、上記左支持紐上を移動可能であるように構成される。【００１６】
このような構成を採用することにより、連結位置を上下方向に移動させ、マスク本体部の上部及び下部に作用する力の向きを変えることができる。従って、装着者の身体的特徴に応じて、マスク本体部を装着者の顔により良好にフィットさせることができる。【００１７】
第７の本発明による衛生マスクは、上記構成に加えて、両端が２つの上記右固定位置にそれぞれ固定された右装着紐の２点を上記右連結位置において結束する右結束部と、両端が２つの上記左固定位置にそれぞれ固定された左装着紐の２点を上記左連結位置において結束する左結束部とを備え、上記右装着紐の上記右結束部よりも前方部分が、上記右支持部となり、上記左装着紐の上記左結束部よりも前方部分が、上記左支持部となるように構成される。【００１８】
第８の本発明による衛生マスクは、上記構成に加えて、上記右連結位置及び上記左連結位置に一対の支持穴が設けられた装着補助具を備え、両端が２つの上記右固定位置にそれぞれ固定された右装着紐が上記支持穴の一方に往復して挿通され、両端が２つの上記左固定位置にそれぞれ固定された左装着紐が上記支持穴の他方に往復して挿通され、上記右装着紐の上記支持穴よりも前方部分が、上記右支持部となり、上記左装着紐の上記支持穴よりも前方部分が、上記左支持部となるように構成される。
【発明の効果】
【００１９】
本発明によれば、耳に負担をかけることなく装着することができる衛生マスクを提供することができる。特に、耳に痛みを生じさせることなく、装着者の顔に良好にフィットさせることができる衛生マスクを提供することができる。また、このような衛生マスクを安価に提供することができる。
【図面の簡単な説明】
【００２０】
【図１】本発明の実施の形態１による衛生マスク１００の一構成例を示した外観図である。
【図２】図１のマスク本体部１をＡ−Ａ切断線により切断したときの断面図である。
【図３】図１の調整部２１を拡大して示した図である。
【図４】図１の衛生マスク１００の装着時の様子の一例を示した図である。
【図５】図１の衛生マスク１００の装着時の様子の他の例を示した図である。
【図６】本発明の実施の形態２による衛生マスク１０１の一構成例を示した外観図である。
【図７】本発明の実施の形態３による衛生マスク１０２の一構成例を示した外観図である。
【図８】本発明の実施の形態４による衛生マスク１０３の一構成例を示した外観図である。
【図９】図８の衛生マスク１０３の装着時の様子の一例を示した図である。
【図１０】図８の結束部６２の一構成例を示した図である。
【図１１】本発明の実施の形態５による衛生マスク１０４の一構成例を示した外観図である。
【図１２】本発明の実施の形態６による衛生マスク１０５の一構成例を示した外観図である。
【図１３】図１２の装着補助具３２の一構成例を示した図である。
【図１４】図１２の衛生マスク１０５の装着時の様子の一例を示した図である。
【図１５】本発明の実施の形態７による衛生マスク１０６の一構成例を示した図である。
【図１６】最も一般的な衛生マスク２００の装着時の様子を示した図である。
【図１７】特許文献２に記載された衛生マスク２０１の装着方法を示した図である。
【発明を実施するための形態】
【００２１】
実施の形態１．
図１は、本発明の実施の形態１による衛生マスク１００の一構成例を示した外観図である。図２は、図１のマスク本体部１をＡ−Ａ切断線により切断したときの断面図である。図３は、図１の調整部２１を拡大して示した図である。
【００２２】
［衛生マスク１００］
一般に、衛生マスクは、感染症の罹患、花粉症の発症などを防止するためのマスクであり、日常生活において広く使用されている。また、病院内において患者や医療従事者などによって使用されている。さらに、人や車が多い場所のような比較的軽微な汚染環境下において、空気中の粉塵や煤煙の吸引防止を目的として使用することもできる。
【００２３】
衛生マスク１００は、装着者の口及び鼻孔が外気に直接触れるのを防止するためのマスク本体部１と、マスク本体部１を装着者の顔に固定し、マスク本体部１が装着者の口及び鼻孔を覆う状態を維持するマスク装着部５とによって構成される。
【００２４】
［マスク本体部１］
マスク本体部１は、鼻頭（鼻尖）から顎先（おとがい）までを覆うことができる形状及び大きさを有する。また、マスク本体部１の生地には、通気性及び柔軟性を有する素材、例えば、ガーゼや不織布が用いられる。マスク本体部１の中央部分には、２以上のプリーツ１１が設けられ、マスク本体部１の上縁部近傍には、形状保持プレート１２が設けられている。衛生マスク１００は、マスク本体部１によって鼻頭から顎先までを覆うとともに、マスク本体部１の周縁部を装着者の顔にフィットさせて両者間の隙間を極力小さくすることによって、口及び鼻孔が外気に直接触れるのを防止している。
【００２５】
プリーツ１１は、マスク本体部１の生地を山折り及び谷折りすることによって、部分的に重複させたひだ形状部である。マスク本体部１には、左右方向に延びる複数のプリーツ１１が設けられている。プリーツ１１は、左右の両端部において、重複領域が開かないように固定される一方、その中央部では、重複領域が固定されず、前後方向の外力又は上下方向への張力を加えることにより、重複領域が開き、マスク本体部１が略椀形の立体的形状となる。例えば、装着前のマスク本体部１は、略矩形の平面的形状を有する一方、装着後は、鼻頭や顎先により前後方向の押圧力が加えられ、あるいは、マスク装着部５により上下方向の張力が加えられて変形し、装着者の顔にフィットした立体的形状となる。
【００２６】
形状保持プレート１２は、左右方向に延びる細長い形状の金属プレートであり、マスク本体部１の上縁部の近傍に取り付けられている。形状保持プレート１２は、指の押圧力によって容易に屈曲可能な金属プレートであり、衛生マスク１００の装着時に指でマスク本体部１の上縁部を装着者の鼻に押し当てれば、当該鼻の形状にフィットする形状に変形させることができる。形状保持プレート１２の形状は、少なくとも装着中は維持され、マスク本体部１と鼻との隙間を小さくする。
【００２７】
［マスク装着部５］
マスク装着部５は、マスク本体部１の左右の側縁部に取り付けられ、装着者の両耳の下方を通って、装着者の頚部後方を回り込むように配置され、マスク本体部１が装着者の顔に押し当てられた状態を保持する。マスク装着部５は、マスク本体部１の左右の側縁部にそれぞれ取り付けられた一対の支持部２と、これらの支持部２を互いに連結し、装着者の頚部後方を回り込むリア装着部３とによって構成される。
【００２８】
［支持部２］
一対の支持部２は、マスク本体部１の左右の側縁部にそれぞれ取り付けられている。各支持部２には、柔軟性及び伸縮性を有する紐状部材、例えば、ゴム紐を用いることができる。支持部２の両端は、マスク本体部１の上下方向の異なる固定位置２３，２４に固定されている。また、支持部２は、その長さを調整するための調整部２１を有している。一対の支持部２は、マスク本体部１の右縁部に取り付けられた右支持部２０Ｒと、マスク本体部１の左縁部に取り付けられた左支持部２０Ｌによって構成される。
【００２９】
右支持部２０Ｒは、一端がマスク本体部１の右縁部の上端近傍の右固定位置２３Ｒに固定され、他端がマスク本体部１の右縁部の下端近傍の右固定位置２４Ｒに固定されている紐状部材（右支持紐）である。同様にして、左支持部２０Ｌは、一端がマスク本体部１の左縁部の上端近傍の左固定位置２３Ｌに固定され、他端がマスク本体部１の左縁部の下端近傍の左固定位置２４Ｌに固定されている紐状部材（左支持紐）である。
【００３０】
調整部２１は、支持部２の長さを調整する調整手段である。装着者は、衛生マスク１００の装着前又は装着中に調整部２１を操作すれば、支持部２の長さを容易に調整することができる。図３に示した通り、本実施の形態による調整部２１は、支持部２を２つの紐部材に分離し、一方の紐部材に結び目を設け、当該結び目の中に他方の紐部材を通すことによって調整部２１が形成される。このような調整部２１を採用すれば、新たな部品を追加することなく、支持部２の長さを調整することができ、製造コストを抑制することができる。
【００３１】
上記調整部２１は、上記一方の紐部材の先端が操作子２２（引手）となり、装着者が当該操作子２２を引くことにより、支持部２が短くなる。一方、外力を加えない場合には、２つの紐部材間の摩擦力によって支持部２の長さが維持される。操作子２２を引くことにより支持部２が短くなるように構成されていれば、装着した状態でも支持部２の長さを容易に調整することができるので望ましい。なお、調整部２１は、このような構成に限定されず、例えば、樹脂成形品を用いて実現することもできる。また、支持部２の長さ調整が不要であれば、調整部２１を省略することができる。
【００３２】
［リア装着部３］
リア装着部３は、一対の支持部２を互いに連結する連結手段であり、リア装着部３を装着者の頚部後方に回り込ませることにより、マスク本体部１が人体に装着される。リア装着部３の両端は、連結位置２５において一対の支持部２にそれぞれ連結される。また、リア装着部３は、右装着部３０Ｒ、左装着部３０Ｌ及び着脱部３１により構成される。
【００３３】
右装着部３０Ｒは、一端が右支持部２０Ｒと連結され、他端が着脱部３１と連結される紐状部材であり、柔軟性及び伸縮性を有する素材を用いることが望ましい。右装着部３０Ｒは、右支持部２０Ｒに対し摺動可能に連結され、右装着部３０Ｒが連結される右連結位置２５Ｒは、右支持部２０Ｒ上を移動することができる。本実施の形態による右装着部３０Ｒは、環状形状を有し、当該環状形状の内側に右支持部２０Ｒが通っている。つまり、右装着部３０Ｒは、右支持部２０Ｒと鎖状に連結されている。
【００３４】
同様にして、左装着部３０Ｌは、一端が左支持部２０Ｌと連結され、他端が着脱部３１と連結される紐状部材であり、柔軟性及び伸縮性を有する素材を用いることが望ましい。左装着部３０Ｌは、左支持部２０Ｌに対し摺動可能に連結され、左装着部３０Ｌが連結される左連結位置２５Ｌは、左支持部２０Ｌ上を移動することができる。本実施の形態による左装着部３０Ｌは、環状形状を有し、左支持部２０Ｌと鎖状に連結されている。
【００３５】
着脱部３１は、右装着部３０Ｒ及び左装着部３０Ｌを着脱可能に連結する。本実施の形態による着脱部３１は、両側にフックが設けられた帯状の樹脂成形品からなるが、着脱部３１は、このような構成のみに限定されない。
【００３６】
図４は、図１の衛生マスク１００の装着時の様子の一例を示した図であり、装着者の左側から見た図が示されている。なお、装着時の様子は左右対称であるため、右側から見た図は省略する。
【００３７】
リア装着部３は、装着者の耳よりも前方において支持部２に連結され、装着者の耳よりも下方を通って概ね水平に延び、装着者の頚部後方を回り込むように配置される。つまり、着脱部３１が頚部後方に配置され、右装着部３０Ｒが右耳の下方に配置され、左装着部３０Ｌが左耳の下方に配置される。
【００３８】
リア装着部３が耳よりも下方を通ることにより、装着時に耳に負担がかからず、衛生マスク１００を長時間継続して使用しても、耳に痛みが生じることはない。また、リア装着部３が頚部後方を回り込むように配置されることにより、着脱部３１が上下にずれ難い。頭部後方は、前後方向の傾斜が大きいのに対し、頚部後方は、前後方向の傾斜が小さいことから、着脱部３１を頚部後方に配置することにより、着脱部３１が上下にずれ難くなり、マスク本体部１が脱落し難くなる。
【００３９】
さらに、支持部２に対するリア装着部３の連結位置２５を耳よりも前方に配置することにより、支持部２の連結位置２５における角度θを大きくし、マスク本体部１を装着者の顔に良好にフィットさせることができる。マスク本体部１を装着者の顔に良好にフィットさせることができれば、マスク本体部１の周縁部と顔との隙間を小さくすることができ、また、マスク本体部１が脱落し難くなる。
【００４０】
支持部２は、装着者の耳よりも前方に配置されている。つまり、右支持部２０Ｒは、右耳よりも前方に配置され、左支持部２０Ｌは、左耳よりも前方に配置されている。例えば、装着者の耳たぶの下端を基準として、より前方に支持部２が配置される。さらに望ましくは、耳たぶの前端を基準として、より前方に支持部２が配置される。
【００４１】
支持部２は、両端がマスク本体部１に固定され、連結位置２５がリア装着部３によって後方に引っ張られる。このため、支持部２は、上下方向の２つの固定位置２３，２４と、より後方の１つの連結位置２５とを直線でつないだ折線形状となる。つまり、支持部２は、２つの固定位置２３，２４と、１つの連結位置２５とを結ぶ一対の支持部材２６，２７で構成され、これらの支持部材２６，２７は、互いに傾斜が異なり、上下方向に角度θをなして前方に向かって拡がるように配置される。
【００４２】
従来の衛生マスクの耳掛け部と比較すれば、支持部２は、紐形状からなり、その両端がマスク本体部１に固定されているという点で類似する。しかしながら、支持部２にはリア装着部３が連結されており、当該リア装着部３により後方へ引っ張られている状態でも、その全体が装着者の耳よりも前方に配置される。従って、支持部２は、耳に掛けることが困難な長さしか有しておらず、従来の衛生マスクの耳掛け紐と比較すれば、その長さが顕著に相違し、明確に区別することができる。
【００４３】
支持部２は、マスク本体部１に対し、後方に向かう力を加える。より具体的には、支持部材２６が、上側の固定位置２３に対して後方下向きの力を加え、支持部材２７が、下側の固定位置２４に対して後方上向きの力を加える。このため、連結位置２５を前方に移動させれば、上側の固定位置２３に加える力がより下向きになり、下側の固定位置２４に加える力がより上向きになり、これらの力のなす角度θがより大きくなる。
【００４４】
装着時のマスク本体部１には角度θに応じた上下方向の張力が加えられている。このため、角度θが大きくなれば、マスク本体部１は、より大きく湾曲した立体的形状に変化する。また、角度θが大きくなれば、マスク本体部１の上縁部を鼻頭よりも上側の鼻筋部（鼻背）に押しつけ、マスク本体部の下縁部を顎先よりも後方の顎下に押しつけることができる。その結果、マスク本体部１を顔に良好にフィットさせることができる。例えば、マスク上縁部及び下縁部において隙間が形成されにくくなる。また、マスク本体部１が脱落し難くなる。
【００４５】
連結位置２５を耳よりも前方に配置することにより、一対の支持部材２６，２７がなす角度θとして、所定の大きさを確保することができる。通常、連結位置２５が耳よりも前方であれば、鼻、顎、耳の位置関係の個人差にかかわらず、角度θとして６０°以上を確保することができる。なお、角度θは８０°以上であることがより望ましい。
【００４６】
また、リア装着部３は、支持部２に対して摺動可能に連結されている。このため、連結位置２５を上下方向に僅かに移動させることができ、マスク本体部１の上部及び下部に加える力の方向を調整することができる。このため、装着者の身体的特徴、例えば、顎や鼻の大きさや形に応じて、マスク本体部１に加える力の方向を微調整することができる。従って、様々な装着者の顔に対し、マスク本体部１を良好にフィットさせることができる。
【００４７】
なお、支持部２及びリア装着部３の材料は、従来の衛生マスクに使用されている耳掛け紐と同様のゴム紐を用いることができる。このため、衛生マスク１００を安価に提供することができる。ただし、本発明による衛生マスク１００は、支持部２及びリア装着部３の材料として他の材料を用いることもできる。
【００４８】
図５は、図１の衛生マスク１００の装着時の様子の他の例を示した図であり、装着者の左側から見た図が示されている。なお、装着時の様子は左右対称であるため、右側から見た図は省略する。
【００４９】
図５は、図４と比較すれば、装着者の顔の形状及び大きさは同一であるが、支持部２がより長くなっている。装着者の顔に対し支持部２が長すぎる場合、マスク本体部１と顔との間に隙間が生じ、口や鼻孔が外気に直接的に触れて衛生マスク１００として十分に機能しない。また、マスク本体部１が脱落しやすくなる。図５では、マスク本体部１の下縁部と顔との間に隙間が生じているが、支持部２が長すぎる場合、マスク本体部１の上縁部と顔の間に隙間が生じ、衛生マスク１００が脱落し易くなる場合も考えられる。
【００５０】
支持部２の長さは、調整部２１の操作子２２を引くことにより短くなる。このため、衛生マスク１００を装着している状態で、操作子２２を引けば、支持部２の長さを調整することができ、マスク本体部１が顔に良好にフィットした図４の状態に変化する。
【００５１】
このようにして、衛生マスク１００は、調整部２１を備えることにより、装着者の身体的特徴、例えば、顎や鼻の大きさや形状に応じて、支持部２の長さを微調整することができる。従って、様々な装着者の顔にマスク本体部１を良好にフィットさせることができ、衛生マスク１００の利便性を向上させることができるとともに、その製造コストを低減することができる。
【００５２】
さらに、調整部２１による支持部２の長さの調整は、装着直後に行うことができるだけでなく、長時間装着によりマスク本体部１が良好にフィットしなくなった場合にも行うことができる。このため、衛生マスク１００は、長時間装着にも適している。
【００５３】
実施の形態２．
実施の形態２では、支持部２の他の構成例について説明する。
【００５４】
図６は、本発明の実施の形態２による衛生マスク１０１の一構成例を示した外観図である。衛生マスク１０１は、図１の衛生マスク１００（実施の形態１）と比較すれば、支持部２のみが異なる。なお、衛生マスク１００と同一の構成部分については重複する説明を省略する。
【００５５】
マスク本体部１の左右の側縁部の上端付近には、支持部２を固定するための固定孔１３がそれぞれ設けられている。支持部２は、一端がマスク本体部１の側縁部の下端付近に固定され、他端には結び目が設けられ、固定孔１３を通る輪が形成されている。例えば、他端の近傍に結び目が形成され、当該結び目内に、固定孔１３内に挿通させた他端を通している。この場合、支持部２の他端の輪と固定孔１３が鎖状に連結され、上記結び目が、調整部２１となり、他端の先端が操作子２２となる。そして、装着者が操作子２２を引けば、支持部２の長さが短くなる。
【００５６】
実施の形態３．
実施の形態３では、リア装着部３の他の構成例について説明する。
【００５７】
図７は、本発明の実施の形態３による衛生マスク１０２の一構成例を示した外観図である。衛生マスク１０２を図１の衛生マスク１００（実施の形態１）と比較すれば、リア装着部３のみが異なる。なお、衛生マスク１００と同一の構成部分については重複する説明を省略する。
【００５８】
リア装着部３は、柔軟性及び伸縮性を有する１本の紐状部材からなる。また、リア装着部３は、着脱部３１を有しておらず、その両端に連結リングがそれぞれ設けられ、これらの連結リングが、左右の支持部２と鎖状に連結されている。これらの連結リングは、リア装着部３の両端近傍に結び目を設けることにより形成されるものであってもよいし、樹脂製リングを取り付けて形成されるものであってもよい。
【００５９】
実施の形態４．
上記実施の形態１〜３では、一対の支持部２及びリア装着部３が、それぞれ異なる紐状部材からなり、これらを連結位置２５において連結することにより、マスク装着部５が構成される場合の例について説明した。これに対し、本実施の形態では、結束部６２を有する一対の紐状部材を備え、これらの紐状部材の結束部６２よりも前方が支持部２となり、後方がリア装着部３となるマスク装着部５の例について説明する。
【００６０】
図８は、本発明の実施の形態４による衛生マスク１０３の一構成例を示した外観図である。衛生マスク１０３は、図１の衛生マスク１００（実施の形態１）と比較すれば、マスク装着部５が、結束部６２を有する一対の装着紐６１と、着脱部３１とにより構成される点で異なる。なお、衛生マスク１００と同一の構成部分については同一の符号を付して重複する説明を省略する。
【００６１】
［装着紐６１］
一対の装着紐６１は、マスク本体部１の左右の側縁部にそれぞれ取り付けられている。装着紐６１には、柔軟性及び伸縮性を有する紐状部材、例えば、ゴム紐を用いることができる。装着紐６１の両端は、マスク本体部１の上下方向の異なる固定位置２３，２４に固定されている。また、装着紐６１には、任意の２点を結束させる結束部６２が取り付けられている。
【００６２】
一対の装着紐６１は、マスク本体部１の右縁部に取り付けられた右装着紐６１Ｒと、マスク本体部１の左縁部に取り付けられた左装着紐６１Ｌによって構成される。右装着紐６１Ｒは、一端がマスク本体部１の右縁部の上端近傍の右固定位置２３Ｒに固定され、他端がマスク本体部１の右縁部の下端近傍の右固定位置２４Ｒに固定されている。同様にして、左装着紐６１Ｌは、一端がマスク本体部１の左縁部の上端近傍の左固定位置２３Ｌに固定され、他端がマスク本体部１の左縁部の下端近傍の左固定位置２４Ｌに固定されている。
【００６３】
［結束部６２］
結束部６２は、装着紐６１上の任意の２点を結束する。結束部６２は、装着紐６１が往復して貫通する貫通孔を有する形状、例えば環状形状からなる。また、結束部６２は、装着紐６１上を摺動可能であり、結束部６２が移動することにより、結束される装着紐６１上の２点を変更することができる。右装着紐６１Ｒ及び左装着紐６１Ｌには、右結束部６２Ｒ及び左結束部６２Ｌがそれぞれ取り付けられている。
【００６４】
［着脱部３１］
着脱部３１は、一対の装着紐６１を着脱可能に連結する。着脱部３１は、各装着紐６１上における２つの結束点の間に連結される。つまり、装着紐６１のうち、結束部６２よりも後方の環状形状の部分に着脱部３１が連結される。
【００６５】
図９は、図８の衛生マスク１０３の装着時の様子の一例を示した図であり、装着者の左側から見た図が示されている。なお、装着時の様子は左右対称であるため、右側から見た図は省略する。
【００６６】
装着紐６１は、装着者の耳よりも前方において結束部６２により結束されている。装着紐６１の結束部６２よりも後方部分は、装着者の耳よりも下方を通って概ね水平に延び、着脱部３１を介して、装着者の頚部後方を回り込むように配置される。このため、一対の装着紐６１の結束部６２よりも後方部分は、右装着部３０Ｒ又は左装着部３０Ｌとして機能し、着脱部３１とともにリア装着部３を構成する。
【００６７】
また、装着紐６１の結束部６２よりも前方部分は、上下方向の２つの固定位置２３，２４と、より後方の１つの結束部６２とをそれぞれ連結している。このため、装着紐６１の結束部６２よりも前方部分は、一対の支持部材２６，２７からなる支持部２として機能し、結束部６２の位置が、支持部２及びリア装着部３を連結する連結位置２５となる。
【００６８】
また、結束部６２を移動させることにより、支持部２の長さを調整し、支持部材２６，２７のなす角度θを調整することができる。このため、顔の大きさや形状に応じて結束部６２を移動させることにより、マスク本体部１を顔に良好にフィットさせることができる。つまり、結束部６２は、調整部２１としての機能も有する。
【００６９】
図１０は、図８の結束部６２の一構成例を示した図である。図中の（ａ）には、環状形状を有する結束部６２の例が示されている。また、図中の（ｂ）には、Ｓ字形状の結束部６２の例が示されている。これらの結束部６２は、例えば、樹脂成形品を用いて実現することができる。なお、結束部６２は、装着紐６１上の２点が離れないように結束することができるものであればよく、その形状や材料は例示したものに限定されない。
【００７０】
本実施の形態による衛生マスク１０３は、装着紐６１上の２点を結束する結束部６２を備えている。このため、結束部６２よりも前方部分が支持部２として機能し、結束部６２よりも後方部分がリア装着部３として機能し、結束部６２がこれらを連結するリア装着部３として機能する。従って、支持部２を装着紐６１の長さに比べて短くすることができ、例えば、従来の衛生マスクの耳かけ紐を装着紐６１として利用することができ、本発明による衛生マスクを低コストで実現することができる。
【００７１】
また、本実施の形態による衛生マスク１０３は、装着紐６１上における結束部６２の位置を変化させることにより、装着紐６１の長さを変化させることなく、支持部２及びリア装着部３を連結する連結位置２５を変化させることができる。このため、装着者の顔の形状及び大きさに合わせて支持部２の長さを調整することができ、マスク本体部１の周縁部と顔との隙間を小さくすることができるとともに、マスク本体部１が脱落し難くなる。
【００７２】
実施の形態５．
実施の形態４では、マスク装着部５が、一対の装着紐６１と、着脱部３１とにより構成される例について説明した。これに対し、本実施の形態では、一対の装着紐６１と着脱部３１が連結紐６３を介して連結される場合について説明する。
【００７３】
図１１は、本発明の実施の形態５による衛生マスク１０４の一構成例を示した外観図である。衛生マスク１０４は、図８の衛生マスク１０３（実施の形態４）と比較すれば、マスク装着部５が一対の連結紐６３を有する点で異なる。なお、衛生マスク１０３と同一の構成部分については同一の符号を付して重複する説明を省略する。
【００７４】
衛生マスク１０４は、マスク装着部５が、一対の装着紐６１と、一対の連結紐６３と、着脱部３１とにより構成される。連結紐６３は、例えば、装着紐６１と鎖状に連結される環状の紐状部材からなる。この場合、装着紐６１の結束部６２よりも後方部分と、連結紐６３と、着脱部３１とが、リア装着部３として機能する。
【００７５】
実施の形態６．
上記実施の形態４及び５では、装着紐６１が結束部６２を備え、装着紐６１の結束部６２よりも前方部分が支持部２となる例について説明した。これに対し、本実施の形態では、装着紐６１が装着補助具３２の支持穴３２０に挿通され、装着紐６１の支持穴３２０よりも前方部分が支持部２となる場合について説明する。
【００７６】
図１２は、本発明の実施の形態６による衛生マスク１０５の一構成例を示した外観図である。図１３は、図１２の装着補助具３２の一構成例を示した図である。
【００７７】
衛生マスク１０５は、図８の衛生マスク１０３（実施の形態４）と比較すれば、一対の装着紐６１が結束部６２を有しておらず、装着補助具３２により互いに連結される点で異なる。なお、衛生マスク１００と同一の構成部分については同一の符号を付して重複する説明を省略する。
【００７８】
衛生マスク１０５は、口及び鼻孔を覆うマスク本体部１と、マスク本体部１の左右の側縁部にそれぞれ固定された一対の装着紐６１と、これらの装着紐６１を互いに連結する装着補助具３２とにより構成される。マスク本体部１は、実施の形態１の場合と同様である。また、装着紐６１は、結束部６２を有しない点を除き、実施の形態４の場合と同様である。
【００７９】
［装着補助具３２］
装着補助具３２は、一対の装着紐６１を互いに連結する連結手段であり、装着補助具３２を装着者の頚部後方に回り込ませることにより、マスク本体部１が人体に装着される。図１３に示す通り、装着補助具３２は、略帯状の形状を有し、柔軟性及び伸縮性を有する素材、例えば、シリコンゴムやポリウレタンを用いることができる。装着補助具３２には、一対の支持穴３２０及び複数の係止部３２２が設けられている。
【００８０】
［支持穴３２０］
支持穴３２０は、装着補助具３２を表面から裏面へ貫通する貫通孔であり、装着補助具３２の長手方向の両端付近に形成される。一対の支持穴３２０は、一対の装着紐６１にそれぞれ対応し、各支持穴３２０には、対応する装着紐６１が往復するように挿通される。支持穴３２０の断面は、円又はその他の形状からなる。
【００８１】
［切り込み部３２１］
切り込み部３２１は、装着補助具３２に形成されたスリット状の切り込みであり、支持穴３２０と装着補助部３２の端面とを連通する。切り込み部３２１を設け、支持穴３２０を開放することにより、装着紐６１の支持穴３２０への挿通が容易になり、装着紐６１及び装着補助具３２の着脱を容易化することができる。ただし、切り込み部３２１は、装着補助具３２に必須の構成ではない。
【００８２】
［係止部３２２］
係止部３２２は、一対の装着紐６１及び装着補助具３２を連結するための手段であり、例えば、装着補助具３２の表面に形成され、外方に向かって突出する突起部からなる。支持穴３２０に挿通された装着紐６１は、係止部３２２の後方を回り込むように配置されることにより、装着補助具３２に係止される。係止部３２２は、支持穴３２０に対応して設けられ、支持穴３２０の後方に配置される。従って、少なくとも一対の係止部３２２が装着補助具３２に設けられる。さらに、３以上の係止部３２２を装着補充部３２に設けることにより、装着紐６１をいずれかの係止部３２２に選択的に係止することが可能になる。例えば、１つの装着紐６１に対応して２以上の係止部３２２を設け、これらの係止部３２２を装着補助具３２の長手方向の異なる位置に配置することができる。
【００８３】
図１４は、図１２の衛生マスク１０５の装着時の様子の一例を示した図であり、装着者の左側から見た図が示されている。なお、装着時の様子は左右対称であるため、右側から見た図は省略する。
【００８４】
装着補助具３２の支持穴３２０は、装着者の耳よりも前方に配置され、装着紐６１は、当該支持穴３２０に挿通された後、係止部３２２に係止される。このため、装着紐６１の支持穴３２０よりも後方部分は、装着補助具３２に沿って、装着者の耳よりも下方を通って概ね水平に延び、装着補助具３２と連結される。そして、当該装着補助具３２が装着者の頚部後方を回り込むように配置される。
【００８５】
一方、装着紐６１の支持穴３２０よりも前方部分は、マスク本体部１の側縁部の上下方向の２つの固定位置２３，２４と、より後方の１つの支持穴３２０とをそれぞれ連結している。このため、装着紐６１の支持穴３２０よりも前方部分は、一対の支持部材２６，２７からなる支持部２として機能し、装着補助具３２の支持穴３２０よりも後方部分は、リア装着部３として機能し、支持穴３２０の位置が、支持部２及びリア装着部３を連結する連結位置２５となる。
【００８６】
また、支持穴３２０の後方には、装着補助具３２の長手方向に沿って３個の係止部３２２が等間隔で設けられている。これらの係止部３２２に対し、装着紐６１を選択的に係止させることにより、装着紐６１の長さを変化させることなく、支持部２の長さを調節することができる。従って、支持部２は装着紐６１の長さに比べて短くすることができ、例えば、従来の衛生マスクの耳かけ紐を装着紐６１として利用することができ、本発明による衛生マスクを低コストで実現することができる。
【００８７】
また、複数の係止部３２２に対し装着紐６１を選択的に係止することにより、装着紐６１の長さを変化させることなく、支持部２の長さを調整し、連結位置２５を移動させることができる。このため、装着者の顔の形状及び大きさに合わせて、係止部３２２を選択すれば、マスク本体部１の周縁部と顔との隙間を小さくすることができるとともに、マスク本体部１が脱落し難くなる。
【００８８】
実施の形態７．
上記実施の形態３では、左右の支持部２を連結するリア装着部３が、紐状部材である場合の例について説明した。これに対し、本実施の形態では、左右の支持部２を連結するリア装着部３が、帯状部材である場合について説明する。
【００８９】
図１５は、本発明の実施の形態７による衛生マスク１０６の一構成例を示した外観図である。衛生マスク１０６は、図７の衛生マスク１０２（実施の形態３）と比較すれば、リア装着部３のみが異なる。なお、衛生マスク１０３と同一の構成部分については重複する説明を省略する。
【００９０】
リア装着部３は、適度な柔軟性を有する帯状部材からなり、折り曲げられた両端が左右の支持部２にそれぞれ連結される。このリア装着部３は、装着者が指で容易に屈曲可能であるが、リア装着部３の形状は、少なくとも装着中は維持され、意図せずに支持部２との連結状態が解除されることはない。なお、リア装着部３は、その一端が左右の支持部２のいずれか一方に固定されていてもよい。
【符号の説明】
【００９１】
１      マスク本体部
１１    プリーツ
１２    形状保持プレート
２      支持部
２０Ｌ  左支持部
２０Ｒ  右支持部
２１    調整部
２２    操作子
２３，２４  固定位置
２５    連結位置
２６，２７  支持部材
３      リア装着部
３０Ｌ  左装着部
３０Ｒ  右装着部
３１    着脱部
３２    装着補助具
３２０  支持穴
３２１  切り込み部
３２２  係止部
５      マスク装着部
６１    装着紐
６２    結束部
６３    連結紐
１００〜１０６  衛生マスク
θ      角度
【図１】
2016047579.tif 000003
【図２】
2016047579.tif 000004
【図３】
2016047579.tif 000005
【図４】
2016047579.tif 000006
【図５】
2016047579.tif 000007
【図６】
2016047579.tif 000008
【図７】
2016047579.tif 000009
【図８】
2016047579.tif 000010
【図９】
2016047579.tif 000011
【図１０】
2016047579.tif 000012
【図１１】
2016047579.tif 000013
【図１２】
2016047579.tif 000014
【図１３】
2016047579.tif 000015
【図１４】
2016047579.tif 000016
【図１５】
2016047579.tif 000017
【図１６】
2016047579.tif 000018
【図１７】
2016047579.tif 000019
【国際調査報告】
2016047579.tif 000020
2016047579.tif 000021
2016047579.tif 000022
2016047579.tif 000023